(57)【要約】【課題】より意匠性に富んだロールスクリーン用の生地、及びロールスクリーンを提供する。【解決手段】本発明のロールスクリーンは、前後方向に複数の生地を吊下支持するよう構成され、当該複数の生地（前生地２Ｆ及び後生地２Ｒ）は、外光に対し低い透光性を持つ低透光部２１の領域と、外光に対し低透光部２１に比して高い透光性を持つ高透光部２２の領域を有し、低透光部２１と高透光部２２のいずれか一方の柄が該柄の図心Ｏを通る左右方向軸を基準に上下方向で非線対称の形状を有する。そして、当該複数の生地（前生地２Ｆ及び後生地２Ｒ）は、その重なり具合で、各生地の柄の頂点Ｖ同士の重なり状態が上下で異なる調光変化を成すように形成されている。【選択図】図２
2019138019.tif 000002
【特許請求の範囲】
【請求項１】
前後方向に複数の生地を吊下支持するロールスクリーン用の生地であって、
外光に対し低い透光性を持つ低透光部の領域と、外光に対し前記低透光部に比して高い透光性を持つ高透光部の領域を有し、前記低透光部と前記高透光部のいずれか一方の柄が該柄の図心を通る左右方向軸を基準に上下方向で非線対称の形状を有することを特徴とするロールスクリーン用の生地。
【請求項２】
前後方向に複数の生地を吊下支持するロールスクリーンに用いて、前記複数の生地の重なり具合で、各生地の柄の頂点同士の重なり状態が上下で異なる調光変化を成すように形成されていることを特徴とするロールスクリーン用の生地。
【請求項３】
前後方向に複数の生地を吊下支持するロールスクリーンであって、
前記複数の生地の各々は、外光に対し低い透光性を持つ低透光部の領域と、外光に対し前記低透光部に比して高い透光性を持つ高透光部の領域を有し、前記低透光部と前記高透光部のいずれか一方の柄が該柄の図心を通る左右方向軸を基準に上下方向で非線対称の形状を有することを特徴とするロールスクリーン。
【請求項４】
前後方向に複数の生地を吊下支持するロールスクリーンであって、
前記複数の生地の重なり具合で、各生地の柄の頂点同士の重なり状態が上下で異なる調光変化を成すように形成されていることを特徴とするロールスクリーン。
【請求項５】
前記複数の生地の重なり具合における位相変化で模様が変化するよう構成されていることを特徴とする、請求項３又は４に記載のロールスクリーン。
【請求項６】
前記複数の生地の重なり具合における位相変化で２種以上の透光率を含んで模様が形成されることを特徴とする、請求項３から５のいずれか一項に記載のロールスクリーン。
【請求項７】
前記低透光部及び前記高透光部のうちいずれか一方を形成する柄が、頂点と正対する辺を持つ三角形又は多角形状を有することを特徴とする、請求項３から６のいずれか一項に記載のロールスクリーン。
【請求項８】
前記低透光部及び前記高透光部のうちいずれか一方を形成する柄が、上下で異なる形状の辺を持つ形状を有することを特徴とする、請求項３から７のいずれか一項に記載のロールスクリーン。
【請求項９】
前記低透光部及び前記高透光部のうちいずれか一方を形成する柄が、左右方向及び上下方向に複数の柄を規則的に連続配置されて形成されていることを特徴とする、請求項３から８のいずれか一項に記載のロールスクリーン。
【請求項１０】
前記低透光部及び前記高透光部のうちいずれか一方を形成する柄が、左右方向に１つの柄を形成し、上下方向に複数の柄を規則的に連続配置するよう形成されていることを特徴とする、請求項３から９のいずれか一項に記載のロールスクリーン。
【請求項１１】
前記複数の生地のうち少なくとも１つが、他の生地とは異なる柄を有することを特徴とする、請求項３から１０のいずれか一項に記載のロールスクリーン。
【請求項１２】
前記複数の生地のうち少なくとも一方が、外光に対し遮光する遮光部の領域を含むことを特徴とする、請求項３から１１のいずれか一項に記載のロールスクリーン。
【発明の詳細な説明】
【技術分野】
【０００１】
本発明は、前後方向に複数枚のスクリーン（生地）を吊下支持するロールスクリーンに関し、特に、そのスクリーンの重なり具合を調節することにより、室内への採光量を調整可能としたロールスクリーン用の生地、及びロールスクリーンに関する。
【背景技術】
【０００２】
従来、前後で二重に吊下支持するスクリーンを上下方向に相対移動させて室内への採光量を調節可能としたロールスクリーンがある（例えば、特許文献１参照）。
【０００３】
このようなロールスクリーンでは、スクリーンに、光を一部透過させる透光部と、光を遮る遮光部とが縞状に交互に形成され、このスクリーンが二重に重ね合わされた状態で吊下支持されている。そして、操作手段の操作により、前後のスクリーンを上下方向に相対移動させて、透光部と遮光部との重なり具合を調整することにより、採光量を調節可能となっている。
【先行技術文献】
【特許文献】
【０００４】
【特許文献１】特開２０１６−１１５７８号公報
【発明の概要】
【発明が解決しようとする課題】
【０００５】
特許文献１に開示されるように、従来から二重に吊下支持するスクリーンを上下方向に相対移動させて室内への採光量を調節可能としたロールスクリーンがある。
【０００６】
しかし、上下方向に相対移動させたときの調光量（透過量）の変化や生地の柄の見え方の変化が乏しく、より意匠性に富んだロールスクリーン用の生地、及びロールスクリーンを構成したいとする要望がある。
【０００７】
本発明の目的は、上述の問題に鑑みて、より意匠性に富んだロールスクリーン用の生地、及びロールスクリーンを提供することにある。
【課題を解決するための手段】
【０００８】
本発明による第１態様のロールスクリーン用の生地は、前後方向に複数の生地を吊下支持するロールスクリーン用の生地であって、外光に対し低い透光性を持つ低透光部の領域と、外光に対し前記低透光部に比して高い透光性を持つ高透光部の領域を有し、前記低透光部と前記高低透光部のいずれか一方の柄が該柄の図心を通る左右方向軸を基準に上下方向で非線対称の形状を有することを特徴とする。
【０００９】
更に、本発明による第２態様のロールスクリーン用の生地は、前後方向に複数の生地を吊下支持するロールスクリーンに用いて、前記複数の生地の重なり具合で、各生地の柄の頂点同士の重なり状態が上下で異なる調光変化を成すように形成されていることを特徴とする。
【００１０】
また、本発明による第１態様のロールスクリーンは、前後方向に複数の生地を吊下支持するロールスクリーンであって、前記複数の生地の各々は、外光に対し低い透光性を持つ低透光部の領域と、外光に対し前記低透光部に比して高い透光性を持つ高透光部の領域を有し、前記低透光部と前記高透光部のいずれか一方の柄が該柄の図心を通る左右方向軸を基準に上下方向で非線対称の形状を有することを特徴とする。
【００１１】
更に、本発明による第２態様のロールスクリーンは、前後方向に複数の生地を吊下支持するロールスクリーンであって、前記複数の生地の重なり具合で、各生地の柄の頂点同士の重なり状態が上下で異なる調光変化を成すように形成されていることを特徴とする。
【００１２】
また、本発明による第１及び２態様のロールスクリーンにおいて、前記複数の生地の重なり具合における位相変化で模様が変化するよう構成されていることを特徴とする。
【００１３】
また、本発明による第１及び２態様のロールスクリーンにおいて、前記複数の生地の重なり具合における位相変化で２種以上の透光率を含んで模様が形成されることを特徴とする。
【００１４】
また、本発明による第１及び２態様のロールスクリーンにおいて、前記低透光部及び前記高透光部のうちいずれか一方を形成する柄が、頂点と正対する辺を持つ三角形又は多角形状を有することを特徴とする。
【００１５】
また、本発明による第１及び２態様のロールスクリーンにおいて、前記低透光部及び前記高透光部のうちいずれか一方を形成する柄が、上下で異なる形状の辺を持つ形状を有することを特徴とする。
【００１６】
また、本発明による第１及び２態様のロールスクリーンにおいて、前記低透光部及び前記高透光部のうちいずれか一方を形成する柄が、左右方向及び上下方向に複数の柄を規則的に連続配置されて形成されていることを特徴とする。
【００１７】
また、本発明による第１及び２態様のロールスクリーンにおいて、前記低透光部及び前記高透光部のうちいずれか一方を形成する柄が、左右方向に１つの柄を形成し、上下方向に複数の柄を規則的に連続配置するよう形成されていることを特徴とする。
【００１８】
また、本発明による第１及び２態様のロールスクリーンにおいて、前記複数の生地のうち少なくとも１つが、他の生地とは異なる柄を有することを特徴とする。
【００１９】
また、本発明による第１及び２態様のロールスクリーンにおいて、前記複数の生地のうち少なくとも一方が、外光に対し遮光する遮光部の領域を含むことを特徴とする。
【発明の効果】
【００２０】
本発明によれば、前後方向に重なる複数のスクリーン（生地）の位相変化で多彩な模様を生じさせることでロールスクリーンにおける意匠性を高めることができる。
【図面の簡単な説明】
【００２１】
【図１】（ａ），（ｂ）は、それぞれ本発明による一実施形態のロールスクリーンとして典型的な概略構成を示す斜視図である。
【図２】（ａ），（ｂ）は、それぞれ本発明による一実施形態のロールスクリーンにおける実施例１の前生地と後生地の概略的な柄を示す正面図である。
【図３】（ａ）乃至（ｆ）は、それぞれ本発明による一実施形態のロールスクリーンにおける実施例１に係る前後生地の位相変化で模様が変化する様子を示す図である。
【図４】（ａ），（ｂ）は、それぞれ本発明による一実施形態のロールスクリーンにおける実施例２の前生地と後生地の概略的な柄を示す正面図である。
【図５】（ａ），（ｂ）は、それぞれ本発明による一実施形態のロールスクリーンにおける実施例３の前生地と後生地の概略的な柄を示す正面図である。
【図６】（ａ），（ｂ）は、それぞれ本発明による一実施形態のロールスクリーンにおける実施例４の前生地と後生地の概略的な柄を示す正面図である。
【図７】（ａ），（ｂ）は、それぞれ本発明による一実施形態のロールスクリーンにおける実施例５の前生地と後生地の概略的な柄を示す正面図である。
【発明を実施するための形態】
【００２２】
以下、図面を参照して、本発明による各実施形態のロールスクリーンを説明する。尚、本願明細書中、図１（ａ）,（ｂ）にそれぞれ示すロールスクリーンの斜視図に対して、図示上方及び図示下方を上方向（又は上側）及び下方向（又は下側）と定義し、図示左方向をロールスクリーンの左側、及び、図示右方向をロールスクリーンの右側と定義して説明する。また、図１（ａ）,（ｂ）にそれぞれ示すロールスクリーンの斜視図に対して、視認する側を前側（又は室内側）、その反対側を後側（又は室外側）とする。
【００２３】
（ロールスクリーンの構成）
図１（ａ），（ｂ）には、前後方向に複数枚のスクリーンを吊下支持するロールスクリーンの典型例として、それぞれ本発明による一実施形態のロールスクリーンの概略構成を示している。
【００２４】
まず、図１（ａ）に示すロールスクリーンでは、一対の支持ブラケット１により巻取軸３Ｆが回転可能に支持され、一方で支持軸３Ｒが回転不能に支持されている。巻取軸３Ｆ及び支持軸３Ｒは、本例では支持ブラケット１に上下方向に所定の間隔を隔てて支持されるとともに、前後方向に僅かにオフセットした状態で支持されている。
【００２５】
巻取軸３Ｆには室内側の前生地２Ｆの上端部が取着され、支持軸３Ｒには室外側の後生地２Ｒの上端部が取着されている。そして前生地２Ｆ及び後生地２Ｒは巻取軸３Ｆ及び支持軸３Ｒから近接して重ね合わされるように垂下されている。
【００２６】
ウェイトバー４は、前生地２Ｆ及び後生地２Ｒに対する錘部材として機能する部材であり、巻取軸３Ｆ及び支持軸３Ｒと略平行に延びるボトムパイプ４ａを回転可能に支持するよう構成されている。
【００２７】
そして、前生地２Ｆ及び後生地２Ｒは一枚の生地がボトムパイプ４ａで折り返されて構成され、ウェイトバー４におけるボトムパイプ４ａは前生地２Ｆ及び後生地２Ｒの調光時に回転する。
【００２８】
巻取軸３Ｆは室内側の前生地２Ｆの上端を巻き取り、或いは巻き戻しを行うために設けられ、支持軸３Ｒは室外側の後生地２Ｒの上端を吊下支持するために設けられている。尚、巻取軸３Ｆの内部には、ウェイトバー４や前生地２Ｆ及び後生地２Ｒの重みによる自重降下を防止するためのブレーキユニット（ストッパー装置）が設けられている（図示せず）。
【００２９】
巻取軸３Ｆの右端には操作プーリー５が相対回転不能に取着され、操作プーリー５が回転すると巻取軸３Ｆも一体となって回転する。そして、操作プーリー５には、本例ではボールチェーンで構成される操作コード６が掛装され、操作コード６の操作で操作プーリー５の回転操作を行うことで巻取軸３Ｆを回転させ、前後方向に二重のスクリーン（前生地２Ｆ及び後生地２Ｒ）を上下方向に相対移動させてその重なり具合を調整することにより、前生地２Ｆ及び後生地２Ｒのそれぞれに形成されている柄（１以上の透過量の異なる領域を有する）の位相変化でその採光量を調節することや、前後方向に二重のスクリーン（前生地２Ｆ及び後生地２Ｒ）の昇降を可能としている。
【００３０】
尚、図１（ａ）に示すロールスクリーンは、典型例として単なる一例を示すものであり、支持軸３Ｒについても室外側の後生地２Ｒの上端を巻き取り、或いは巻き戻しを行う巻取軸とし巻取軸３Ｆと同期回転させるギヤ機構を一対の支持ブラケット１における少なくとも一方に設ける構成とすることもできる。この場合でも、前生地２Ｆ及び後生地２Ｒのそれぞれに形成されている柄（１以上の透過量の異なる領域を有する）の位相変化でその採光量を調節することや、前後方向に二重のスクリーン（前生地２Ｆ及び後生地２Ｒ）の昇降が可能となる。
【００３１】
また、図１（ｂ）に示すロールスクリーンのように、前生地２Ｆ及び後生地２Ｒについてそれぞれ独立して昇降操作を可能とする構成においても、前生地２Ｆ及び後生地２Ｒのそれぞれに形成されている柄（１以上の透過量の異なる領域を有する）の位相変化でその採光量を調節することができる。
【００３２】
具体的には、図１（ｂ）に示すように、一対の支持ブラケット１により巻取軸３Ｆが回転可能に支持され、更に巻取軸３Ｒ’が回転不能に支持されている。巻取軸３Ｆ及び巻取軸３Ｒ’は、本例では支持ブラケット１に上下方向に所定の間隔を隔てて支持されるとともに、前後方向に僅かにオフセットした状態で支持されている。
【００３３】
巻取軸３Ｆには室内側の前生地２Ｆの上端部が取着され、巻取軸３Ｒ’には室外側の後生地２Ｒの上端部が取着されている。そして前生地２Ｆ及び後生地２Ｒは巻取軸３Ｆ及び巻取軸３Ｒ’から近接して重ね合わされるように垂下されている。前生地２Ｆ及び後生地２Ｒは同一柄を有する一枚の同一生地から形成されている。
【００３４】
ウェイトバー４Ｆ，４Ｒは、それぞれ前生地２Ｆ及び後生地２Ｒの下端に取着され、それぞれ前生地２Ｆ及び後生地２Ｒに対する錘部材として機能する部材である。
【００３５】
巻取軸３Ｆは室内側の前生地２Ｆの上端を巻き取り、或いは巻き戻しを行うために設けられ、巻取軸３Ｒ’は室外側の後生地２Ｒの上端を巻き取り、或いは巻き戻しを行うために設けられている。尚、巻取軸３Ｆ及び巻取軸３Ｒ’のそれぞれの内部には、ウェイトバー４Ｆ，４Ｒや前生地２Ｆ及び後生地２Ｒの重みによる自重降下を防止するためのブレーキユニット（ストッパー装置）が設けられている（図示せず）。
【００３６】
巻取軸３Ｆの右端には操作プーリー５Ｆが相対回転不能に取着され、操作プーリー５Ｆが回転すると巻取軸３Ｆも一体となって回転する。また、巻取軸３Ｒ’の左端には操作プーリー５Ｒが相対回転不能に取着され、操作プーリー５Ｒが回転すると巻取軸３Ｒも一体となって回転する。そして、操作プーリー５Ｆ，５Ｒには、本例ではボールチェーンで構成されるそれぞれの操作コード６Ｆ，６Ｒが掛装され、操作コード６Ｆ，６Ｒの操作でそれぞれ操作プーリー５Ｆ，５Ｒの回転操作を行うことで、巻取軸３Ｆ及び巻取軸３Ｒ’について独立して回転させ、前後方向に二重のスクリーン（前生地２Ｆ及び後生地２Ｒ）を上下方向に相対移動させてその重なり具合を調整することにより、前生地２Ｆ及び後生地２Ｒのそれぞれに形成されている柄（１以上の透過量の異なる領域を有する）の位相変化でその採光量を調節することや、前後方向に二重のスクリーン（前生地２Ｆ及び後生地２Ｒ）の昇降が可能となる。
【００３７】
図１（ａ），（ｂ）では、前後方向に複数枚のスクリーンを吊下支持するロールスクリーンの典型例を例示したものであり様々な形態が想定されるが、本発明に係るロールスクリーンでは、前後方向に二重のスクリーンとするだけでなく、前後方向に３枚以上を含む複数枚のスクリーンを吊下支持する形態であればよい。特に、図１（ａ），（ｂ）では、前生地２Ｆ及び後生地２Ｒについて同一柄を有する一枚の同一生地から形成することを想定して説明しているが、前生地２Ｆ及び後生地２Ｒについてそれぞれ別の柄を有する別の生地から形成することもできる。
【００３８】
ただし、以下では、図１（ａ），（ｂ）に例示するように、前後方向に二重のスクリーン（前生地２Ｆ及び後生地２Ｒ）を上下方向に相対移動させてその重なり具合を調整することにより、前生地２Ｆ及び後生地２Ｒのそれぞれに形成されている柄（１以上の透過量の異なる領域を有する）の位相変化でその採光量を調節可能とする例を主として説明し、その特徴的な前生地２Ｆ及び後生地２Ｒのそれぞれに形成されている柄（１以上の透過量の異なる領域を有する）に関する各実施例を説明する。
【００３９】
（実施例１）
図２（ａ），（ｂ）は、それぞれ図１（ａ），（ｂ）に例示する本発明による一実施形態のロールスクリーンにおける実施例１の前生地２Ｆと後生地３Ｒの概略的な柄を示す正面図である。
【００４０】
実施例１において、前生地２Ｆと後生地３Ｒは、図２（ａ），（ｂ）にそれぞれ示すように、同一柄を有する一枚の同一生地から形成されているが、上下に反転して吊下支持されることを想定している。
【００４１】
前生地２Ｆと後生地３Ｒの各々は、外光に対し低い透光性を持つ（完全には遮光しない）低透光部２１の領域と、外光に対し低透光部２１に比して高い透光性を持つ高透光部２２の領域を有し、これによって上下、左右、又は斜め方向に規則的な柄が形成されている。より具体的には、高透光部２２の柄が該柄の図心（本例では中心）Ｏを通る左右方向軸ＬＲを基準に非線対称の形状を有する略五角形を有している。尚、この変形例として、低透光部２１の柄が該柄の図心Ｏを通る左右方向軸を基準に上下方向で非線対称の形状を有する略五角形を有するものとすることもできる。
【００４２】
そして、前生地２Ｆと後生地３Ｒの各々において、高透光部２２が列方向に等間隔に配列され、その偶数行と奇数行とで列方向に柄配列の位相を千鳥状にずらしている。尚、高透光部２２が行方向に等間隔に配列し、その偶数列と奇数列とで行方向に柄配列の位相をずらしてもよい。
【００４３】
このような低透光部２１及び高透光部２２の各領域を持つ生地は、レーザーカット加工を施した生地に対し全面をボイル生地で貼付して形成することや、オパール加工を施して形成することや、ラッセルジャガード加工を施して形成することができる。或いは、刺繍加工を施して形成することや、パッチワーク加工を施して生成することや、フロントカット又はバックカットの加工を施して形成することもできる。
【００４４】
そして、前生地２Ｆと後生地３Ｒの重なり具合で、各生地の柄の頂点（図示するＶ）同士の重なり状態が上下で異なる調光変化を成すように形成されている。尚、図２に示す例では、高透光部２２の柄を五角形として例示しているが、後述する実施例のように、これに限らず、三角形又はより複雑な多角形状を有するものとすることができる。
【００４５】
また、図２に示す例から理解されるように、高透光部２２の柄を五角形として例示しているが、低透光部２１及び高透光部２２のうちいずれか一方を形成する柄が、頂点と正対する辺（図示するＳ）を持つ三角形又は多角形状を有するものとするのが多彩な模様変化を生じさせる上で好適である。
【００４６】
特に、低透光部２１及び高透光部２２のうちいずれか一方を形成する柄が、上下で異なる形状の辺を持つ形状を有するものとするのが好適である。ここで、低透光部２１及び高透光部２２のうちいずれか一方について、左右方向及び上下方向に複数の柄を規則的に連続配置するのが好適であるが、左右方向に１つの柄（例えば一辺側波状等）を形成し、上下方向に複数の柄を規則的に連続配置するよう形成してもよい。
【００４７】
図３（ａ）乃至（ｆ）には、図２（ａ）,（ｂ）に示す実施例１に係る前生地２Ｆと後生地３Ｒについて試作し、外光を当てて、その前後生地の位相変化で模様が変化する様子を示している。図３では、まず、図３（ａ）に示すように前生地２Ｆと後生地３Ｒが共に全閉状態にあるときの模様を示し、この状態から図３（ｂ）及び図３（ｃ）にそれぞれ示すように前生地２Ｆのみ徐々に僅かに上昇させたときの模様変化を示している。そして、図３（ｃ）の状態から、今度は図３（ｄ）乃至図３（ｆ）にそれぞれ示すように、前生地２Ｆのみ徐々に僅かに上昇させたときの模様変化を示している。
【００４８】
このように、前後方向に重なる複数のスクリーン（生地）の位相変化で多彩な模様を生じさせることができ、ロールスクリーンの意匠性を高めることができる。また、図２に示す実施例１では、低透光部２１の領域に相対して、各高透光部２２の領域の面積を大きく取るようにしており、多彩な模様変化とともに、幅広い多段階の調光機能を持たせることができる。
【００４９】
（実施例２）
図４（ａ），（ｂ）は、それぞれ本発明による一実施形態のロールスクリーンにおける実施例２の前生地２Ｆと後生地２Ｒの概略的な柄を示す正面図である。
【００５０】
実施例２において、前生地２Ｆと後生地３Ｒは、図４（ａ），（ｂ）にそれぞれ示すように、同一柄を有する一枚の同一生地から形成されているが、上下に反転して吊下支持されることを想定している。
【００５１】
実施例２においても、上述したように、高透光部２２の柄が該柄の図心（本例では中心）を通る左右方向軸を基準に非線対称の形状を有する略五角形を有しているが、各頂点及び各辺について僅かに丸みを形成させている。
【００５２】
そして、前生地２Ｆと後生地３Ｒの各々において、高透光部２２が列方向に等間隔に配列され、その偶数行と奇数行とで列方向に柄配列の位相を千鳥状にずらし、且つその偶数行と奇数行とで当該略五角形の柄について異なる傾斜を持たせている。
【００５３】
このような実施例２の構成においても、前後方向に重なる複数のスクリーン（生地）の位相変化で多彩な模様を生じさせることができ、ロールスクリーンの意匠性を高めることができる。
【００５４】
（実施例３）
図５（ａ），（ｂ）は、それぞれ本発明による一実施形態のロールスクリーンにおける実施例３の前生地２Ｆと後生地２Ｒの概略的な柄を示す正面図である。
【００５５】
実施例３において、前生地２Ｆと後生地３Ｒは、図５（ａ），（ｂ）にそれぞれ示すように、同一柄を有する一枚の同一生地から形成されているが、上下に反転して吊下支持されることを想定している。
【００５６】
実施例３においても、上述したように、高透光部２２の柄が該柄の図心（本例では中心）を通る左右方向軸を基準に非線対称の形状を有する略三角形を有している。その各頂点及び各辺について僅かに丸みを形成させてもよい。
【００５７】
そして、前生地２Ｆと後生地３Ｒの各々において、高透光部２２が列方向に等間隔に配列され、その偶数行と奇数行とで列方向に柄配列の位相を千鳥状にずらしている。その偶数行と奇数行とで当該略三角形の柄について異なる傾斜を持たせてもよい。
【００５８】
このような実施例３の構成においても、前後方向に重なる複数のスクリーン（生地）の位相変化で多彩な模様を生じさせることができ、ロールスクリーンの意匠性を高めることができる。
【００５９】
（実施例４）
図６（ａ），（ｂ）は、それぞれ本発明による一実施形態のロールスクリーンにおける実施例４の前生地２Ｆと後生地２Ｒの概略的な柄を示す正面図である。
【００６０】
実施例４において、前生地２Ｆと後生地３Ｒは、図６（ａ），（ｂ）にそれぞれ示すように、同一柄を有する一枚の同一生地から形成されているが、上下に反転して吊下支持されることを想定している。
【００６１】
実施例４においても、上述したように、高透光部２２の柄が該柄の図心（本例では中心）を通る左右方向軸を基準に非線対称の形状を有しているが、くの字状の多角形状の柄を形成した例を示している。その各頂点及び各辺について僅かに丸みを形成させてもよい。
【００６２】
本例では、前生地２Ｆと後生地３Ｒの各々において、高透光部２２が行方向に等間隔に配列され、その偶数列と奇数列とで行方向に柄配列の位相を千鳥状にずらしている。その偶数列と奇数列とで当該柄について異なる傾斜を持たせてもよい。
【００６３】
このような実施例４の構成においても、前後方向に重なる複数のスクリーン（生地）の位相変化で多彩な模様を生じさせることができ、ロールスクリーンの意匠性を高めることができる。
【００６４】
（実施例５）
図７（ａ），（ｂ）は、それぞれ本発明による一実施形態のロールスクリーンにおける実施例５の前生地２Ｆと後生地２Ｒの概略的な柄を示す正面図である。
【００６５】
実施例５において、前生地２Ｆと後生地３Ｒは、図７（ａ），（ｂ）にそれぞれ示すように、同一柄を有する一枚の同一生地から形成されているが、上下に反転して吊下支持されることを想定している。
【００６６】
実施例５においても、上述したように、高透光部２２の柄が該柄の図心（本例では中心）を通る左右方向軸を基準に非線対称の形状を有しているが、高透光部２２について、左右方向に１つの柄（図示する例では、一辺側波状）を形成し、上下方向に複数の柄を規則的に連続配置するよう形成してもよい。その各頂点及び各辺について僅かに丸みを形成させてもよい。
【００６７】
本例では、前生地２Ｆと後生地３Ｒの各々において、高透光部２２が行方向に等間隔に配列され、その偶数行と奇数行とで柄を上下に反転させた柄で形成している。その偶数行と奇数行とで当該柄について異なる傾斜を持たせてもよい。
【００６８】
このような実施例５の構成においても、前後方向に重なる複数のスクリーン（生地）の位相変化で多彩な模様を生じさせることができ、ロールスクリーンの意匠性を高めることができる。
【００６９】
以上、特定の実施形態の例を挙げて本発明を説明したが、本発明は前述の実施形態の例に限定されるものではなく、その技術思想を逸脱しない範囲で種々変形可能である。例えば、上述した各実施例の生地では、低透光部２１と高透光部２２の二種類で柄を形成する例を説明したが、これに加えて遮光部（ほぼ１００％遮光する領域）を持つ三種類で柄を形成する生地とすることもできる。また、前後方向に二重のスクリーンとするだけでなく、前後方向に３枚以上を含む複数枚のスクリーンを吊下支持するロールスクリーンとすることができる。また、前後方向の複数枚のスクリーンについてそれぞれ別の柄を有する別の生地から形成することもできる。これらにより、上述した実施例と比して、より多彩な模様を形成することができる。従って、本発明は、前述の実施形態の例に限定されるものではなく、特許請求の範囲によってのみ制限される。
【産業上の利用可能性】
【００７０】
本発明によれば、前後方向に重なる複数のスクリーン（生地）の位相変化で多彩な模様を生じさせることで意匠性を高めることができるため、ロールスクリーンの用途に有用である。
【符号の説明】
【００７１】
１  支持ブラケット
２Ｆ  前生地（前側のスクリーン）
２Ｒ  後生地（後側のスクリーン）
３Ｆ  巻取軸
３Ｒ  支持軸
３Ｒ’  巻取軸
４，４Ｆ，４Ｒ  ウェイトバー
４ａ  ボトムパイプ
５，５Ｆ，５Ｒ  操作プーリー
６，６Ｆ，６Ｒ  操作コード
２１  低透光部
２２  高透光部
【図１】
2019138019.tif 000003
【図２】
2019138019.tif 000004
【図３】
2019138019.tif 000005
【図４】
2019138019.tif 000006
【図５】
2019138019.tif 000007
【図６】
2019138019.tif 000008
【図７】
2019138019.tif 000009